(57)【要約】【課題】  アクティブマトリクス型の電気光学装置における動画表示品位等を改善する。【解決手段】  ２４０行の走査線を２行ずつ、２行２列の走査パターンにおける各列に対応するように２回選択する。各選択では、同時に選択する２行の走査線に、走査パターンのうち、当該選択に対応する行の要素に応じた電圧の走査信号を供給するとともに、ｊ列目のデータ線に対するデータ信号Ｘｊについては、ｊ列目のデータ線と同時に選択される２行の走査線との交差に対応する画素の表示内容を示す要素と、当該走査パターンのうち選択に対応する列の要素との積和値に応じた電圧とする。【選択図】      図７
2006184380.tif 000002
【特許請求の範囲】
【請求項１】
複数行の走査線と複数列のデータ線との交差に対応して設けられた画素を有し、
前記画素が、スイッチング素子と画素容量とを含む電気光学装置の駆動方法であって、
ｍ行ｎ列（ｍ、ｎは２以上の整数）の要素からなる所定の走査パターンの各行を、前記
複数行のうちｍ行の走査線に対応させるとともに、
当該ｍ行の走査線を、前記走査パターンにおける各列に対応するようにｎ回同時選択し
、
各選択では、
当該ｍ行に対応する走査信号を、前記走査パターンのうち、当該選択に対応する行の要
素に応じた電圧とし、
一の列のデータ線に対するデータ信号を、当該データ線と当該ｍ行の走査線との交差に
対応する画素の表示内容を示す要素と当該選択に対応する列の要素との演算値に応じた電
圧として、
前記画素容量に印加する
ことを特徴とする電気光学装置の駆動方法。
【請求項２】
前記スイッチング素子は、導電体／絶縁体／導電体の構造を有するダイオードである
ことを特徴とする請求項１に記載の電気光学装置の駆動方法。
【請求項３】
前記走査線に対し、
当該選択に対応する列の要素に対応した選択電圧を、所定の電圧を基準にして高位側の
正極性と低位側の負極性とに分けて当該要素の符号に応じて印加するとともに、当該選択
電圧の印加前に、印加する選択電圧とは逆極性の選択電圧を印加する
ことを特徴とする請求項２に記載の電気光学装置の駆動方法。
【請求項４】
前記画素容量は、画素電極と対向電極とで電気光学物質を挟持したものであり、
前記スイッチング素子は、前記走査線がゲートに接続されるとともに、当該走査線が選
択されたときにデータ線と画素電極とを導通状態とするトランジスタであり、
前記対向電極は、画素領域において複数に分割され、各分割領域が複数行の走査線に位
置する画素の画素電極と対向するように配置され、
走査線に選択電圧を印加する際には、各分割領域に属する走査線を同時に選択し、
各分割領域には、当該選択に対応する列の要素に応じた電圧をそれぞれ印加する
ことを特徴とする請求項１に記載の電気光学装置の駆動方法。
【請求項５】
複数行の走査線と複数列のデータ線との交差に対応して設けられた画素を有し、
前記画素は、スイッチング素子と画素容量とを含む
電気光学装置の駆動回路であって、
ｍ行ｎ列（ｍ、ｎは２以上の整数）の要素からなる所定の走査パターンの各行を、前記
複数行のうちｍ行の走査線に対応させるとともに、
当該ｍ行の走査線を、前記走査パターンにおける各列に対応するようにｎ回同時選択し
、
各同時選択では、
当該ｍ行に対応する走査信号を、前記走査パターンのうち、当該選択に対応する行の要
素に応じた電圧とする走査線駆動回路と、
一の列のデータ線に対するデータ信号を、当該データ線と当該ｍ行の走査線との交差に
対応する画素の表示内容を示す要素と当該選択に対応する列の要素との演算値に応じた電
圧を前記画素容量に印加するデータ線駆動回路と
を有することを特徴とする電気光学装置の駆動回路。
【請求項６】
複数行の走査線と複数列のデータ線との交差に対応して設けられた画素を有し、
前記画素が、スイッチング素子と画素容量とを含む電気光学装置であって、
ｍ行ｎ列（ｍ、ｎは２以上の整数）の要素からなる所定の走査パターンの各行を、前記
複数行のうちｍ行の走査線に対応させるとともに、
当該ｍ行の走査線を、前記走査パターンにおける各列に対応するようにｎ回同時選択し
、
各選択では、
当該ｍ行に対応する走査信号を、前記走査パターンのうち、当該選択に対応する行の要
素に応じた電圧とする走査線駆動回路と、
一の列のデータ線に対するデータ信号を、当該データ線と当該ｍ行の走査線との交差に
対応する画素の表示内容を示す要素と当該選択に対応する列の要素との演算値に応じた電
圧を前記画素容量に印加するデータ線駆動回路と
を有することを特徴とする電気光学装置。
【請求項７】
請求項６に記載の電気光学装置を備えることを特徴とする電子機器。
【発明の詳細な説明】
【技術分野】
【０００１】
本発明は、アクティブマトリクス型の電気光学装置における動画表示の品位等を改善す
る技術に関する。
【背景技術】
【０００２】
液晶などの電気光学物質の光学変化により表示を行う表示パネルについては、駆動方式
により分類すると、画素をスイッチング素子により駆動するアクティブマトリクス型と、
スイッチング素子を用いないで駆動するパッシブマトリクス型とに分けることができるが
、前者に係るアクティブマトリクス型の方が高精細化や表示品位が高いなどの点において
有利であるのは承知の通りである。
このようなアクティブマトリクス型の表示パネルでは、走査線を所定の順番で１本ずつ
選択して、スイッチング素子をオンさせ、画素の階調に応じた電圧が、データ線を介して
画素に書き込まれるが、動画像の表示品位がＣＲＴ等と比較して低いという点が指摘され
ている。
【０００３】
そこで近年では、次のような駆動技術が提案されている。すなわち、この技術は、画素
電極とコモン電極との間で液晶を挟持した画素容量と電気的に平行となるように補助容量
（蓄積容量）を設けるとともに、補助容量の他端を行毎に設けた容量線に共通接続して、
当該画素容量に対する書き込みの後に、容量線の電位をシフトさせることによって、画素
電極の電位を変化させて、画素容量の駆動電圧として利用する、というものである（非特
許文献１参照）。
【非特許文献１】木村  裕之  ほか１名、「携帯電話向けＬＣＤの最新技術」、月刊ディスプレイ、平成１６年６月号（Vol.10  No.6）、p.1-5
【発明の開示】
【発明が解決しようとする課題】
【０００４】
しかしながら、上記技術では、行毎に容量線を設けるだけでなく、これらの容量線を走
査線に同期して駆動する回路が走査線駆動回路とは別に必要となるので、開口率の低下や
構成が複雑化する。
本発明は、上述した事情に鑑みてなされたものであり、その目的とするところは、動画
表示の品位等を改善することが可能な電気光学装置、その駆動回路並びに駆動方法、およ
び、電子機器を提供することにある。
【課題を解決するための手段】
【０００５】
上記目的を達成するために本発明に係る電気光学装置の駆動方法は、複数行の走査線と
複数列のデータ線との交差に対応して設けられた画素を有し、前記画素が、スイッチング
素子と画素容量とを含む電気光学装置の駆動方法であって、ｍ行ｎ列（ｍ、ｎは２以上の
整数）の要素からなる所定の走査パターンの各行を、前記複数行のうちｍ行の走査線に対
応させるとともに、当該ｍ行の走査線を、前記走査パターンにおける各列に対応するよう
にｎ回同時選択し、各選択では、当該ｍ行に対応する走査信号を、前記走査パターンのう
ち、当該選択に対応する行の要素に応じた電圧とし、一の列のデータ線に対するデータ信
号を、当該データ線と当該ｍ行の走査線との交差に対応する画素の表示内容を示す要素と
当該選択に対応する列の要素との演算値に応じた電圧として、前記画素容量に印加するこ
とを特徴とする。この方法によれば、１行ずつ走査線を選択する従来構成と比較して、選
択期間に変更がなくても、フレーム周波数を高くすることができるので、動画の表示品位
を改善することができる。換言すれば、フレーム周波数を一定にすれば、選択期間を長く
することができる。
【０００６】
本発明において、前記スイッチング素子は、前記スイッチング素子は、導電体／絶縁体
／導電体の構造を有するダイオードであることが好ましい。さらに、スイッチング素子と
してダイオードを用いる場合に、前記走査線に対し、当該選択に対応する列の要素に対応
した選択電圧を、所定の電圧を基準にして高位側の正極性と低位側の負極性とに分けて当
該要素の符号に応じて印加するとともに、当該選択電圧の印加前に、印加する選択電圧と
は逆極性の選択電圧を印加することが好ましい。
また、本発明において、前記画素容量は、画素電極と対向電極とで電気光学物質を挟持
したものであり、前記スイッチング素子は、前記走査線がゲートに接続されるとともに、
当該走査線が選択されたときにデータ線と画素電極とを導通状態とするトランジスタであ
り、前記対向電極は、画素領域において複数に分割され、各分割領域が複数行の走査線に
位置する画素の画素電極と対向するように配置され、走査線に選択電圧を印加する際には
、各分割領域に属する走査線を同時に選択し、各分割領域には、当該選択に対応する列の
要素に応じた電圧をそれぞれ印加することが好ましい。
なお、本発明は、電気光学装置の駆動方法のみならず、電気光学装置の駆動回路や、電
気光学装置それ自体としても概念することができる。さらに、該電気光学装置を備える電
子機器としても概念することができる。
【発明を実施するための最良の形態】
【０００７】
以下、本発明の実施の形態について図面を参照して説明する。図１は、本発明の第１実
施形態に係る電気光学装置の構成を示すブロック図である。
この図に示されるように、電気光学装置１０は、液晶パネル１００、データ線駆動回路
２５０、走査線駆動回路３５０および制御回路４００を含む。
このうち、液晶パネル１００には、２４０本の走査線３１２が行（Ｘ）方向に延在する
一方、３２０本のデータ線２１２が列（Ｙ）方向に延在するように設けられている。画素
１１６は、詳細については後述するが、走査線３１２とデータ線２１２との交差に対応し
て、それぞれ配列している。したがって、本実施形態では、画素１１６が、縦２４０行×
横３２０列でマトリクス状に配列するが、本発明をこれに限定する趣旨ではない。
【０００８】
走査線駆動回路３５０は、１行目、２行目、３行目、…、２４０行目の走査線３１２に
、走査信号Ｙ１、Ｙ２、Ｙ３、…、Ｙ２４０をそれぞれ供給するものである。なお、詳細
については後述するが、本実施形態における走査線駆動回路３５０は、走査線３１２を図
１において上から順番に２行ずつ１水平走査期間（１Ｈ）毎に選択するとともに、選択走
査線３１２への走査信号を選択電圧とし、それ以外の走査線３１２への走査信号を非選択
電圧（保持電圧）とする。
【０００９】
データ線駆動回路２５０は、１列目、２列目、３列目、…、３２０列目のデータ線２１
２に、データ信号Ｘ１、Ｘ２、Ｘ３、…、Ｘ３２０をそれぞれ供給するものである。詳細
については後述するが、データ線駆動回路２５０は、任意の１列のデータ線２１２へのデ
ータ信号について、当該データ線２１２と走査線駆動回路３５０によって同時に選択され
た走査線３１２との交差に位置する２つの画素１１６のオン・オフ状態と、当該２行の選
択走査線に印加される選択電圧の極性との組み合わせに応じた電圧とする。このような動
作をデータ線駆動回路２５０は、１列から３２０列までのすべてのデータ線２１２につい
て実行する。
なお、データ線駆動回路２５０はメモリを内蔵し、当該メモリに、縦２４０行×横３２
０列のマトリクス状に配列する画素１１６のオン・オフ状態を規定するデータを記憶して
、その記憶内容から、選択走査線に位置する２行分の画素１１６のオン・オフ状態を把握
する。また、この表示データＤａは、図示しない上位装置によって、表示内容に応じて適
宜書き換えられる構成となっている。
制御回路４００は、走査線駆動回路３５０およびデータ線駆動回路２５０に対し制御信
号（図示省略）を供給することによって液晶パネル１００の走査を制御するものである。
【００１０】
次に、画素１１６の構成について説明する。図２は、画素１１６の電気的な構成を示す
図であり、図３は、画素１１６の平面的な構成を示す図である。ここで、図２および図３
は、ｉ行目の走査線３１２、および、これとは上側に隣接する（ｉ−１）行目の走査線３
１２と、ｊ列目のデータ線２１２、および、これとは左側に隣接する（ｊ−１）列目のデ
ータ線２１２との交差に対応する２×２の計４画素分の構成が示されている。
なお、ｉおよび（ｉ−１）は、走査線３１２の行を特定せずに説明する場合の記号であ
り、１以上２４０以下の整数である。同様に、ｊおよび（ｊ−１）は、データ線２１２の
列を特定せずに説明する場合の記号であり、１以上３２０以下の整数である。
【００１１】
図２において、各画素１１６は、互いに直列接続された画素容量１１８と二端子型スイ
ッチング素子の一例であるＴＦＤ（thin film diode：薄膜ダイオード）２２０とを有す
る。詳細には、ｉ行ｊ列に位置する画素１１６において、ＴＦＤ２２０の一端はｊ列目の
データ線２１２に接続される一方、当該ＴＦＤ２２０の他端は画素容量１１８の一端に接
続されている。さらに、ｉ行ｊ列の画素１１６において、画素容量１１８の他端はｉ行目
の走査線３１２に接続されている。
【００１２】
特に図示しないが、液晶パネル１００は、一対の基板が一定の間隙を保って電極面が互
いに対向するとともに、当該間隙に液晶が挟持された構成となっている。電極の位置関係
について図３を参照して説明すると、一対の基板のうち、一方の基板の対向面には、ＩＴ
Ｏ（indium tin oxide）などの透明導電体からなる矩形形状の画素電極２３４がマトリク
ス状に配列しており、このうち、同一列にて配列された画素電極２３４が、１列のデータ
線２１２に、それぞれＴＦＤ２２０を介して共通接続されている。
一対の基板のうち、他方の基板の対向面には、同じくＩＴＯなどからなる走査線３１２
が、データ線２１２とは直交する行方向にストライプ状に延在している。ここで、ｉ行の
走査線３１２は、ｉ行に位置する３２０個の画素１１６の各画素電極と対向するような位
置関係となっている。したがって、例えばｉ行ｊ列の画素容量１１８は、画素電極２３４
と、ｉ行目の走査線３１２と、両者の間に挟持された液晶とによって構成されることにな
る。
【００１３】
なお、両基板の対向面には、それぞれ液晶の分子の初期配向方向を規定するようにラビ
ング処理された配向膜（図示省略）がそれぞれ設けられるので、画素電極２３４と対向電
極として機能する走査線３１２との間を通過する光は、液晶に印加される電圧実効値に応
じて旋光する。このため、例えば入射側と背面側とに、初期配向方向に合わせた偏光軸の
偏光子をそれぞれ配置させると、当該電圧実効値が小さければ、透過光量が少なくなって
白色（オフ）表示になる一方、電圧実効値が大ききれば、透過光量が多くなって黒色（オ
ン）表示になる（ノーマリーホワイトモード）。
また、特に図示しないが、コントラスト比が低下するのを防止するために、画素電極２
３４以外を通過する光が観察者に視認されないように、遮光膜が両基板の少なくともいず
れか一方に設けられる。
【００１４】
一方、データ線２１２は、タンタル単体やタンタル合金などから形成され、各行に対応
してＴ字状に分岐している。データ線２１２の表面は、図示はしないが、陽極酸化によっ
て形成された絶縁被膜によって覆われている。データ線２１２からの分岐部分には、画素
電極２３４に電気的に接続されるとともに、クロム等などの第２導電体２２６が交差する
ように形成されている。したがって、データ線２１２の分岐部分と第２導電体２２６とが
交差する領域は、導電体／絶縁体／導電体のサンドイッチ構造となるので、電流−電圧特
性が正負双方向にわたって非線形となるダイオードスイッチング特性を有することになる
。本実施形態では、この交差領域をＴＦＤ２２０として用いている。
【００１５】
ここで、本実施形態に係る電気光学装置１０の駆動方法について説明する。本実施形態
では、複数行の走査線３１２を同時に選択するＭＬＳ（multi line selection、ＭＬＡと
もいう）駆動法を採用する。このＭＬＳ駆動法において、ｉ行目における走査信号の電圧
波形を時間関数ｆi(t)とし、このｉ行とは異なるｋ行目における走査信号の電圧波形を時
間関数ｆk(t)とすると、図４に示されるような関係となる。すなわち、各行における走査
信号の電圧波形は周期関数であり、互いに正規直交性を有する。
【００１６】
本実施形態においては、走査線を選択するための走査選択行列として図５（ａ）に示さ
れるような２行×２列の走査パターンを用いる。この走査パターンでは、各行が同時選択
される走査線３１２にそれぞれ一対一に対応する一方、列が各選択に対応している。ここ
で、走査パターンとしては、ある１行における要素と他の任意の１行における要素とを積
和した値がゼロになる性質を有すれば良い。
図５（ａ）に示される走査パターンは２行２列であるので、走査線３１２を同時に２行
選択する動作が、２回に分けて実行される。さらに、各要素のうち「＋１」は、選択に際
して正極性の選択電圧の印加を示し、「−１」は負極性の選択電圧の印加を示す。
同図の走査パターンにおいて１行１列の要素が「＋１」であり、１行２列の要素が「＋
１」であるので、同時に選択される２行の走査線３１２のうち、一方に、第１回目の選択
において正極性の選択電圧を印加し、第２回目の選択において正極性の選択電圧を印加す
ることを示している。また、２行１列の要素が「−１」であり、２行２列の要素が「＋１
」であるので、同時に選択される２行の走査線３１２のうち、他方に、第１回目の選択に
おいて負極性の選択電圧を印加し、第２回目の選択において正極性の選択電圧を印加する
ことを示している。
なお、図５（ａ）に示される走査パターンを固定的に用いると、液晶に直流成分が印加
されるので、これを防止すべく、図５（ａ）に示される走査パターンの各要素を符号反転
した図５（ｂ）に示される走査パターンとを交互に用いることにする。
【００１７】
実際の走査信号の電圧波形について図７を参照して説明する。上述したように走査線駆
動回路３５０は、制御回路４００による制御にしたがって、走査信号Ｙ１、Ｙ２、Ｙ３、
…、Ｙ２４０を次のような電圧波形とする。
図７に示されるように、第１番目の１垂直走査期間（１Ｆ）では、２行の走査線３１２
が１水平走査期間毎に同時に選択されて、当該選択走査線３１２のうち奇数（１、３、５
、…、２３９）行目の走査線への走査信号が、図５（ａ）に図示された走査パターンにお
ける１行１列の要素「＋１」に対応して正極性の選択電圧＋ＶＳとなり、偶数（２、４、
６、…、２４０）行目の走査線への走査信号が、当該走査パターンにおける２行１列の要
素「−１」に対応して負極性の選択電圧−ＶＳとなる。
第２番目の１垂直走査期間（１Ｆ）でも、同様に２行の走査線３１２が１水平走査期間
毎に同時に選択されるが、当該選択走査線３１２のうち奇数行目の走査線への走査信号が
、当該走査パターンにおける１行２列の要素「＋１」に対応して正極性の選択電圧＋ＶＳ
となり、偶数行目の走査線への走査信号が、当該走査パターンにおける２行２列の要素「
＋１」に対応して正極性の選択電圧＋ＶＳとなる。
続く第３番目の１垂直走査期間（１Ｆ）では、同様に２行の走査線３１２が１水平走査
期間毎に同時に選択されて、当該選択走査線３１２のうち奇数行目の走査線への走査信号
が、図５（ｂ）に図示された走査パターンにおける１行１列の要素「−１」に対応して負
極性の選択電圧−ＶＳとなり、偶数行目の走査線への走査信号が、当該走査パターンにお
ける２行１列の要素「＋１」に対応して正極性の選択電圧＋ＶＳとなる。
そして、第３番目の１垂直走査期間（１Ｆ）では、２行の走査線３１２が１水平走査期
間毎に同時に選択されて、当該選択走査線３１２のうち奇数行目の走査線への走査信号が
、当該走査パターンにおける１行２列の要素「−１」に対応して負極性の選択電圧−ＶＳ
となり、偶数行目の走査線への走査信号が、当該走査パターンにおける２行２列の要素「
−１」に対応して負極性の選択電圧−ＶＳとなる。
すなわち、第３および第４番目の１垂直走査期間における走査信号の電圧波形は、第１
および第２番目の１垂直走査期間における走査信号の電圧波形をそれぞれ極性反転したも
のとなる。
【００１８】
なお、本実施形態における選択電圧±ＶＳとは、当該選択電圧が走査線３１２に印加さ
れた直後にあっては、当該走査線３１２に接続されたＴＦＤ２２０がデータ線２１２に印
加されたデータ信号にかかわらず導通（オン）状態となるような電圧をいう。また、本実
施形態において走査信号は、正極性の選択電圧＋ＶＳとなった直後では正極性の非選択電
圧（保持電圧ともいう）＋Ｖｈとなり、負極性の選択電圧−ＶＳとなった直後では負極性
の非選択電圧−Ｖｈとなる。ここでいう非選択電圧とは、当該非選択電圧が走査線３１２
に印加されても、当該走査線３１２に接続されたＴＦＤ２２０が非導通（オフ）状態とな
るような電圧をいう。選択電圧±ＶＳおよび非選択電圧±Ｖｈの中心が電圧基準のＶＣ（
＝０Ｖ）であり、本実施形態では、次に説明するようにデータ信号の電圧としてのみ用い
られる。
【００１９】
次に、データ信号について説明する。データ信号の電圧は、上述したように、対応する
データ線２１２と同時に選択された走査線３１２との交差に位置する２つの画素１１６の
表示内容、および、当該２行の選択走査線に印加される選択電圧の極性の組み合わせに応
じて定められる。
具体的には、画素の白色（オフ）表示を「＋１」とし、黒色（オン）表示を「−１」と
する一方、正極性の選択電圧を「＋１」とし、負極性の選択電圧を「−１」として、両者
の積和値で定められる。本実施形態において、同時に選択される２行（奇数行、偶数行）
の画素の表示内容としては、オン・オン、オン・オフ、オフ・オン、オフ・オフの４通り
であり、選択電圧の極性は、第１番目の垂直走査期間の正極性・負極性（＋１・−１）、
第２番目の垂直走査期間の正極性・正極性（＋１・＋１）、第３番目の垂直走査期間の負
極性・正極性（−１・＋１）、第４番目の垂直走査期間の負極性・負極性（−１・−１）
の４通りであるので、両者の組み合わせで定まるデータ信号の電圧は、図６に示されるよ
うに計１６通り存在する。
１６通り存在する組み合わせにおいて、積和値が取り得るのは、「−２」、「０」、「
＋２」の３値のみである。この積和値に係数を乗じた値が、それぞれ電圧−ＶＸ、ＶＣ（
＝０）、＋ＶＸであり、これらの電圧がデータ信号として用いられる。
【００２０】
図７に示されるように、例えば１、２行目の走査線とｊ列目のデータ線との交差に対応
する画素を白色「＋１」、黒色「−１」とする場合、第１番目の垂直走査期間では、奇数
行・偶数行の選択電圧は正極性「＋１」、負極性「−１」であるので、積和値「＋２」と
なる。このため、当該垂直走査期間において１、２行目の走査線３１２が選択されて、選
択電圧＋ＶＳ、−ＶＳが印加された場合、ｊ列目のデータ線２１２へのデータ信号Ｘｊの
電圧は、積和値「＋２」に対応する＋ＶＸとなる。当該２つ画素の表示内容に変更がない
場合、第２番目、第３番目および第４番目の垂直走査期間において、１、２行目の走査線
３１２が選択された場合、データ信号Ｘｊの電圧は、選択電圧との積和値に応じて、それ
ぞれＶＣ、−ＶＸ、ＶＣとなる。
また、例えば３、４行目の走査線とｊ列目のデータ線との交差に対応する画素を黒色「
−１」、白色「＋１」とする場合、第１番目の垂直走査期間における積和値は「−２」と
なるので、当該垂直走査期間において３、４行目の走査線３１２が選択されたとき、デー
タ信号Ｘｊの電圧は、当該積和値「−２」に対応する−ＶＸとなり、１、２行目の選択時
における電圧＋ＶＸから変化する。なお、当該２つの画素の表示内容に変更がない場合、
第２番目、第３番目および第４番目の垂直走査期間において、１、２行目の走査線３１２
が選択された場合、データ信号Ｘｊの電圧は、選択電圧との積和値に応じて、それぞれＶ
Ｃ、＋ＶＸ、ＶＣとなる。
【００２１】
なお、図７においては、このほかに２３９、２４０行目の走査線とｊ列目のデータ線と
の交差に対応する画素、および、１、２、３、４、２３９、２４０行目の走査線と（ｊ＋
１）列目のデータ線に対応する画素の表示内容に応じて、データ信号Ｘｊ、Ｘ（ｊ＋１）
が、各選択においていずれの電圧となるかが示されている。
【００２２】
このような構成において、ｉ行目の走査線３１２に選択電圧＋ＶＳ、−ＶＳのいずれか
が印加されると、当該ｉ行目に位置する２４０個の画素１１６の各々において、直列接続
されたＴＦＤ２２０と画素容量１１８との両端には、選択電圧とデータ信号電圧との差電
圧が印加される。この差電圧が印加されると、ＴＦＤ２２０の両端は閾値電圧Ｖth以上と
なるので、ＴＦＤ２２０は導通状態となる。このため、ｉ行ｊ列の画素容量１１８におい
ては、走査信号Ｙｉにおける選択電圧とデータ信号Ｘｊの電圧と差電圧に応じた電圧から
充電開始となる。そして、選択電圧の印加期間において画素容量１１８への充電が進行し
て、ＴＦＤ２２０の両端電圧が閾値電圧Ｖth以下になると、当該ＴＦＤ２２０が非導通状
態になり、この時点において画素容量１１８への充電が停止することになる。
【００２３】
ここで、選択期間終了後において画素容量１１８に保持される電圧Ｖpixは、
Ｖpix＝Ｖsel−Ｖth−Ｖsig
と表すことができる。なお、Ｖselは、ｉ行目の走査線３１２に印加された選択電圧で
あって、＋ＶＳ、−ＶＳのいずれかであり、また、Ｖsigは、ｊ列目のデータ線２１２に
印加された信号電圧であって、＋ＶＸ、−ＶＸのいずれかである。ｉ行目の走査線３１２
への走査信号Ｙｉが、選択電圧から非選択電圧に切り替わっても、この充電状態が保持さ
れるので、当該ｉ行ｊ列の画素１１６は、当該充電電圧に応じた透過率となる。
【００２４】
いま、Ｖa＝Ｖsel−Ｖthとし、Ｖsig＝ｋ・Ｖb（ｋは係数）とすると、
Ｖpix＝Ｖa−ｋ・Ｖb
となる。ここで、Ｖaは、パッシブ駆動法における選択電圧に相当するので、同時に選
択される行数をｎ（実施形態ではｎ＝２）とすると、同時に選択されるｎ行毎に、１／ｎ
デューティ駆動となる。１／ｎデューティ駆動において、最大コントラスト比は、
Ｖa＝ｎ１／２・Ｖb
の場合に得られ、オン画素電圧／オフ画素電圧の比は、
｛（ｎ１／２＋１）／（ｎ１／２−１）｝１／２
となる。なお、オン画素電圧／オフ画素電圧の比は、実施形態のｎ＝２である場合には
２．４１となり、後述するｎ＝３である場合には１．９３となる。
【００２５】
また、ｎ＝２である場合のオフ画素の実効電圧は、２．１６Ｖbであり、ｎ＝３である
場合のオフ画素の実効電圧は、４．５０Ｖbとなる。
ここで、オフ画素の場合に画素容量１１８に印加すべきオフ電圧をＶoffと表記したと
き、ｎ＝２であれば、
Ｖb＝Ｖoff／２．１６
となるので、
Ｖa＝ｎ１／２・Ｖoff／２．１６
となる。このため、
Ｖsel＝｛ｎ１／２・Ｖoff／２．１６｝＋Ｖth
となるように、選択電圧およびデータ信号電圧を決定すればよい。
【００２６】
ところで、同時に選択する行数ｎが大きくなるにつれて、最大コントラスト比やオン画
素電圧／オフ画素電圧の比が低下するので、実際には、ｎについては２〜５の範囲が好ま
しいと考える。また、用いる液晶としては、垂直配向のように電圧−透過率特性が急峻な
ものを用いるのが好ましい。
また、実際のＴＦＤ２２０には、寄生容量が存在する。この寄生容量の影響によって画
素容量１１８に印加される電圧は、少なからず理想値よりもシフトするので、選択電圧、
データ信号電圧を適宜調整すれば良い。
【００２７】
このように本実施形態によれば、１水平走査期間（１Ｈ）において同時に２行の走査線
３１２を選択するので、走査線３１２を１行ずつ選択する従来と比較して、走査線３１２
の本数である２４０行を選択するのに要する期間は、１水平走査期間（１Ｈ）の１２０倍
の期間に半減化することができる。このため、１垂直走査期間を短縮化してフレーム周波
数を高めることができる。または、１垂直走査期間を固定するのであれば、１水平走査期
間をそれだけ確保することができるので、その分、選択期間を長期化することができる。
ここで、フレーム周波数を高める場合には、動画表示の場合のボケ等が解消する方向に
向かうので有利となるほか、書き込み重視とすることが可能となる。一方、選択期間を長
期化する場合には、駆動電圧を低下させることができるので、低消費電力等の点で有利と
なるほか、書込期間を十分に確保することができるので、いわゆるクロストークを低減す
ることも可能となる。
【００２８】
実施形態にあっては、選択した１水平走査期間にわたって選択電圧を印加する構成とし
たが、正極性の選択電圧＋ＶＳを印加して正極性書込を実行する場合に、その直前におい
て、同じく正極性の選択電圧＋ＶＳが印加されていたときと、これとは異なる負極性の選
択電圧−ＶＳが印加されていたときとでは、充電開始前の電圧保持状態が異なっているの
で、書き込み後の保持電圧に差が生じる可能性がある。負極性の選択電圧−ＶＳを印加し
て負極性書込を実行する場合においても同様である。
そこで、図８に示されるように、１水平走査期間１Ｈを前半・後半期間とに分けるとと
もに、後半期間では走査パターンに応じた選択電圧とする一方、その前半期間において、
逆極性の選択電圧（リセット電圧）を予め印加する構成とするのが望ましい。このような
リセット電圧を予め印加すれば、直前における書込極性の依然性を少なくした状態で画素
容量１１８の充電を開始することができるので、画素毎の明るさがばらつくことを未然に
防止することが可能となる。
なお、この例では、１水平走査期間の後半期間において走査パターンに応じた選択電圧
を印加し、その直前の前半期間において逆極性のリセット電圧を予め印加したが、前半・
後半に分けることなく、走査パターンに応じた選択電圧を印加する前に、例えば１水平走
査期間前に、各行にわたって互いに略等期間だけ印加する構成であれば良い。
【００２９】
また、実施形態にあっては、走査パターンとして図５（ａ）および図５（ｂ）に示され
る２行×２列の行列を用いて、走査線３１２を２行同時に選択する構成としたが、これに
限られない。例えば、図９（ａ）に示されるような３行×４列の行列からなる走査パター
ンを用いても良い。なお、図９（ａ）に示される走査行列においても、ある１行における
要素と他の任意の１行における要素とを積和した値がゼロになる性質を有している。
なお、図９（ａ）に示される走査パターンを固定的に用いると、液晶に直流成分が印加
されるので、図９（ａ）に示される走査パターンと、この各要素を符号反転した図９（ｂ
）に示される走査パターンとを交互に用いることにする。このような走査パターンを２つ
用いると、走査線３１２を同時に３行選択する動作が、４回ずつ計８回に分けて実行され
る。
【００３０】
このような走査パターンを用いた場合における走査信号の電圧波形について図１１を参
照して説明する。
この図に示されるように、第１番目の１垂直走査期間（１Ｆ）では、３行の走査線３１
２が１水平走査期間毎に同時に選択されるとともに、当該選択走査線３１２のうち第１系
列（１、４、７、…、２３８であり、３で割ったときの余りが「１」となる剰余系）に属
する走査線への走査信号が、図９（ａ）に図示された走査パターンにおける１行１列の要
素「＋１」に対応して正極性の選択電圧＋ＶＳとなり、第２系列（２、５、８、…、２３
９であり、３で割ったときの余りが「２」となる剰余系）に属する走査線への走査信号が
、当該走査パターンにおける１行２列の要素「＋１」に対応して正極性の選択電圧＋ＶＳ
となり、第３系列（３、６、９、…、２４０であり、３で割ったときの余りが「０」とな
る剰余系）に属する走査線への走査信号が、当該走査パターンにおける１行３列の要素「
＋１」に対応して正極性の選択電圧＋ＶＳとなる。
第２番目の１垂直走査期間（１Ｆ）でも、同様に３行の走査線３１２が１水平走査期間
毎に同時に選択されるが、当該選択走査線３１２のうち第１系列に属する走査線への走査
信号が、当該走査パターンにおける１行２列の要素「＋１」に対応して選択電圧＋ＶＳと
なり、第２系列に属する走査線への走査信号が、当該走査パターンにおける１行２列の要
素「−１」に対応して選択電圧−ＶＳとなり、第３系列に属する走査線への走査信号が、
当該走査パターンにおける１行３列の要素「＋１」に対応して選択電圧＋ＶＳとなる。
第３番目の１垂直走査期間（１Ｆ）において、第１系列の走査線の選択電圧は＋ＶＳと
なり、第２系列の走査線の選択電圧は＋ＶＳとなり、第３系列の走査線の選択電圧は−Ｖ
Ｓとなる。さらに、第４番目の１垂直走査期間（１Ｆ）において、第１系列の走査線の選
択電圧は＋ＶＳとなり、第２系列の走査線の選択電圧は−ＶＳとなり、第３系列の走査線
の選択電圧は−ＶＳとなる。
なお、第５〜第８番目の１垂直走査期間における走査信号の電圧波形は、第１〜第４番
目の１垂直走査期間における走査信号の電圧波形をそれぞれ極性反転したものとなる。
【００３１】
次に、図９（ａ）および図９（ｂ）に示される走査パターンを用いる場合のデータ信号
について説明する。データ信号の電圧は、対応するデータ線２１２と同時に選択された走
査線３１２との交差に位置する３つの画素１１６の表示内容、および、当該３行の選択走
査線に印加される選択電圧の極性の組み合わせに応じて定められる。
具体的には、画素の白色（オフ）表示を「＋１」とし、黒色（オン）表示を「−１」と
する一方、正極性の選択電圧を「＋１」とし、負極性の選択電圧を「−１」として、両者
の積和値で定められる。
ここで、本実施形態において、同時に選択される３行（第１、第２、第３系列）の画素
の表示内容としては、２３（＝８）通りであり、選択電圧の極性も、第１〜第８番目の垂
直走査期間の８通りであるので、両者の組み合わせで定まるデータ信号の電圧は、図１０
に示されるように計６４通り存在する。
６４通り存在する組み合わせにおいて、積和値が取り得るのは、「−３」、「−１」、
「＋１」、「＋３」の４値のみである。この積和値に係数を乗じた値が、それぞれ電圧−
３ＶＸ、−ＶＸ、＋ＶＸ、＋３ＶＸであり、これらの電圧がデータ信号として用いられる
。
【００３２】
図１１においては、１、２、３、４、５、６、２３８、２３９、２４０行目の走査線の
走査信号と、これらの走査線と、ｊ列目および（ｊ＋１）列目のデータ線との交差に対応
する画素の表示内容に応じて、データ信号Ｘｊ、Ｘ（ｊ＋１）が、各選択においていずれ
の電圧となるかについても示されている。
また、このような走査パターンを用いる場合であっても、図８に示されるような、走査
パターンに応じた選択電圧の印加前に、逆極性のリセット電圧を予め印加する構成として
も良い。
【００３３】
なお、第１実施形態において、液晶パネル１００では、ＴＦＤ２２０がデータ線２１２
の側に接続され、画素容量１１８が走査線３１２の側に接続されているが、これとは逆に
、ＴＦＤ２２０が走査線３１２の側に、画素容量１１８がデータ線２１２の側にそれぞれ
接続される構成でも良い。
一方、ＴＦＤ２２０は、スイッチング素子の一例であり、他に、ＺｎＯ（酸化亜鉛）バ
リスタや、ＭＳＩ（Me tal Semi-Insulator）などを用いた素子のほか、これら素子を２
つ逆向きに直列接続または並列接続したものなどがスイッチング素子として用いることが
可能である。
【００３４】
次に、本発明の第２実施形態について説明する。上述した第１実施形態は、スイッチン
グ素子としてＴＦＤ２２０を用いたが、この第２実施形態は、スイッチング素子としてＴ
ＦＴ（thin film transistor：薄膜トランジスタ）を用いたものである。なお、第２実施
形態では、第１実施形態と同様に、図５（ａ）および図５（ｂ）に示される走査パターン
を交互に用いるものとする。
【００３５】
図１２は、第２実施形態に係る電気光学装置１０の構成を示すブロック図である。この
図において、２４０行の走査線３１２と３２０列のデータ線２１２とに対応して画素１１
６が設けられている点は、第１実施形態と同様であるが、走査線駆動回路は、走査線選択
回路３５２と走査電圧印加回路３５４とに分けられている。すなわち、第１実施形態にお
ける走査線駆動回路３５０は、走査線３１２を２行同時に選択する機能と、選択走査線３
１２を介して画素容量の他端に選択電圧を印加する機能とを兼用するものであったが、第
２実施形態では、走査線選択回路３５２が、２行の走査線３１２を同時に選択する機能を
負担し、走査電圧印加回路３５４が画素容量の他端に選択電圧を印加する機能を負担する
構成となっている。
【００３６】
図１３は、同電気光学装置における液晶パネル１００の画素構成を簡易的に示す平面図
であり、図１４は、液晶パネル１００における電気的な構成を示す図である。
第２実施形態の液晶パネル１００において、一対の基板同士が一定の間隙を保って電極
面が互いに対向するとともに、当該間隙に液晶が挟持された構成となっている点において
は第１実施形態と同様であるが、一対の基板の一方に、走査線３１２とデータ線２１２と
が設けられる点において第１実施形態と相違するとともに、これらの走査線３１２とデー
タ線２１２との交差に対応して画素１１６が設けられる。
詳細には、図１３に示されるように、ｉ行ｊ列の画素１１６でいえば、ｎチャネル型の
ＴＦＴ２２２と画素電極２３６とを含み、このうち、ＴＦＴ２２２のゲートは、ｉ行目の
走査線３１２に接続され、そのソースはｊ列目のデータ線２１２に接続され、そのドレイ
ンは画素電極２３６に接続されている。
また、液晶パネル１００を構成する一対の基板の他方には、対向電極１２２ａ、１２２
ｂが設けられる。このうち、対向電極１２２ａは、１行目から１２０行目までの画素１１
６における画素電極２３６にわたって共通に対向するように設けられる一方、対向電極１
２２ｂは、１２１行目から２４０行目までの画素１１６における画素電極２３６にわたっ
て共通に対向するように設けられている。
【００３７】
したがって、第２実施形態では、図１４に示されるように、１行目から１２０行目まで
の画素容量１１８は、画素電極２３６と対向電極１２２ａと両電極で挟持される液晶とに
よって構成され、１２１行目から２４０行目までの画素容量１１８は、画素電極２３６と
対向電極１２２ｂと両電極で挟持される液晶とによって構成される。
なお、各画素１１６には、図１４に示されるように、画素容量１１８からＴＦＴ２２２
を介した電荷リークの影響を少なくするために、蓄積容量１１９が形成されている。この
蓄積容量１１９の一端は、画素電極２３６（ＴＦＴ２２２のドレイン）に接続される一方
、その他端は、全画素にわたって、例えば電源電位などの一定電位の電位線１２３に共通
接地されている。なお、蓄積容量１１９は、図１３では示されていない。
【００３８】
次に、走査線選択回路３５２による走査線３１２の選択について説明する。
走査線選択回路３５２は、１行目、２行目、３行目、…、２４０行目の走査線３１２に
、選択信号Ｇ１、Ｇ２、Ｇ３、…、Ｇ２４０をそれぞれ供給するものであるが、選択の順
番は、第１実施形態とは異なる。
すなわち、図１５に示されるように、選択の順番は、１および１２１行目、２および１
２２行目、３および１２３行目、…、１２０および２４０行目というように、対向電極１
２２ａに対向する走査線３１２と対向電極１２２ｂに対向する走査線３１２とをそれぞれ
上から１組ずつ選択する形となる。ここで、走査線選択回路３５２は、選択する走査線３
１２の選択信号をＨレベルとし、それ以外の走査線３１２の選択信号をＬレベルとする。
したがって、１垂直走査期間においては、図１５に示されるように、選択信号Ｇ１およ
びＧ１２１が同時にＨレベルとなって、以降１水平走査期間（１Ｈ）毎に、選択信号Ｇ２
およびＧ１２２、選択信号Ｇ３およびＧ１２３、…、選択信号Ｇ１２０およびＧ２４０が
それぞれＨレベルとなる。
【００３９】
走査電圧印加回路３５４は、対向電極１２２ａに走査電圧Ｙａを、対向電極１２２ｂに
走査電圧Ｙｂを、それぞれ印加するものである。
ここで、走査電圧Ｙａ、Ｙｂの電圧波形は、図１５に示される通りである。すなわち、
第１番目の１垂直走査期間において、走査電圧Ｙａは、図５（ａ）の走査パターンにおけ
る１行１列の要素「＋１」に対応して電圧＋ＶＳとなり、走査電圧Ｙｂは、当該走査パタ
ーンにおける２行１列の要素「−１」に対応して電圧−ＶＳとなる。同様に、第２番目の
１垂直走査期間において、走査電圧Ｙａは、当該走査パターンにおける１行２列の要素「
＋１」に対応して電圧＋ＶＳとなり、走査電圧Ｙｂは、当該走査パターンにおける２行２
列の要素「＋１」に対応して電圧＋ＶＳとなる。
なお、第３および第４番目の１垂直走査期間における走査電圧の波形は、第１および第
２番目の１垂直走査期間における走査電圧の電圧波形をそれぞれ極性反転したものとなる
。
【００４０】
ここで、ｉ行目の走査線３１２に供給される選択信号ＧｉがＨレベルになると、当該ｉ
行目の走査線３１２にゲートが接続されたＴＦＴ２２２のソース・ドレイン間が導通状態
となるので、ｉ行ｊ列の画素１１６における画素電極２３６には、ＴＦＴ２２２を介して
データ信号Ｘｊが印加されることになる。
一方、対向電極１２２ａ、１２２ｂには、第１実施形態において選択電圧に相当する電
圧＋ＶＳ、−ＶＳのいずれかが走査パターンに応じて印加されるので、画素容量１１８に
は、第１実施形態と同様な電圧差で印加されることになる。
ここで、ＴＦＴ２２２は、ゲート電圧（選択信号の電圧）によってオン・オフが規定さ
れるので、ＴＦＤ２２０のように選択期間の途中でオフすることはない。このため、第２
実施形態における走査電圧±ＶＳは、第１実施形態における選択電圧よりも閾値電圧Ｖth
分だけ絶対値方向に小さくすれば良い。
【００４１】
データ信号の電圧決定は、第１実施形態と同様である。ただし、同時に選択されるのが
、１および１２１行目、２および１２２行目、３および１２３行目、…、１２０および２
４０行目というように離間している点に留意する必要がある。例えば、図１５に示される
ように、第１番目の垂直走査期間において、１行目の走査線と同時に選択される走査線は
２行目ではなく１２１行目である。
なお、１行ｊ列目の画素１１６を白色表示とし、１２１行ｊ列目の画素１１６を黒色表
示とする場合には、積和値「＋２」に応じた電圧＋ＶＸとなる。また、図１５においては
、１、２、３、１２０、１２１、１２２、１２３、２４０行目の走査線への走査電圧波形
と、これらの走査線と、ｊ列目および（ｊ＋１）列目のデータ線との交差に対応する画素
の表示内容に応じて、データ信号Ｘｊ、Ｘ（ｊ＋１）が、各選択においていずれの電圧と
なるかについて示されている。
【００４２】
このように第２実施形態によれば、第１実施形態と同様に、１水平走査期間（１Ｈ）に
おいて同時に２行の走査線３１２を選択するので、走査線３１２を１行ずつ選択する従来
と比較して、走査線３１２の本数である２４０行を選択するのに要する期間は、１水平走
査期間（１Ｈ）の１２０倍の期間に半減化することができる。このため、１垂直走査期間
を短縮化してフレーム周波数を高めることができる。または、１垂直走査期間を固定する
のであれば、１水平走査期間をそれだけ確保することができるので、選択期間を長期化す
ることができる。
さらに、第２実施形態によれば、対向電極１２２ａ、１２２ｂに走査電圧を直接印加し
ているので、データ線２１２に供給するデータ信号の電圧振幅が小さくて済む。このため
、ＴＦＴ２２２を小型化することできるので、開口率を大きくすることが可能となる。ま
た、フレーム周波数を高めると、その分、非選択（保持）期間が短くなるので、蓄積容量
１１９のサイズが小さくて済ませることが可能となる。
【００４３】
なお、上述した第１および第２実施形態では、電圧無印加状態において白色を表示する
ノーマリーホワイトモードであるとしたが、電圧無印加状態において黒色を表示するノー
マリーブラックモードとしても良い。なお、ノーマリーブラックモードであれば、白色表
示が「−１」、黒色表示が「＋１」となって符号反転させてデータ信号の電圧を決定する
必要がある。
また、Ｒ（赤）、Ｇ（緑）、Ｂ（青）の３画素で１ドットを構成して、カラー表示を行
うとしても良い。
一方、第２の実施形態では対向電極を上下に２分割してあるが、例えば、各行に対応し
て分割して、奇数行をまとめて対向電極１２２ａとして駆動し、偶数行をまとめて対向電
極１２２ｂとして駆動しても良い。この場合には上から２行づつ書き込むことが可能とな
る。逆に、第１の実施形態では上から２行づつ書き込む場合を説明したが、同時に選択し
ていく順序はこれに限定するものではない。
【００４４】
液晶パネル１００は透過型に限られず、反射型や、両者の中間的な半透過半反射型であ
っても良い。
液晶としては、ＴＮ型や、ＳＴＮ型、分子の長軸方向と短軸方向とで可視光の吸収に異
方性を有する染料（ゲスト）を一定の分子配列の液晶（ホスト）に溶解して、染料分子を
液晶分子と平行に配列させたゲストホスト型などの液晶を用いても良い。くわえて、電圧
無印加時には液晶分子が両基板に対して垂直方向に配列する一方、電圧印加時には液晶分
子が両基板に対して水平方向に配列する、という垂直配向（ホメオトロピック配向）の構
成としても良いし、電圧無印加時には液晶分子が両基板に対して水平方向に配列する一方
、電圧印加時には液晶分子が両基板に対して垂直方向に配列する、という平行（水平）配
向（ホモジニアス配向）の構成としても良い。
ただし、本発明に好ましい液晶については、上述したようにＶ−Ｔ特性が急峻な垂直配
向が良いと考えられる。
以上については、液晶表示装置について説明したが、本発明では、例えばＥＬ（Electr
onic Luminescence）素子、電子放出素子、電気詠動素子、デジタルミラー素子などを用
いた装置や、プラズマディスプレイなどにも適用可能である。液晶以外であれば、交流駆
動する必要がないので、２つの走査パターンの一方だけを適用すればよい。
【００４５】
次に、上述した実施形態に係る電気光学装置１０を表示装置として有する電子機器につ
いて説明する。図１６は、実施形態に係る電気光学装置１０を用いた携帯電話１２００の
構成を示す斜視部である。
この図に示されるように、携帯電話１２００は、複数の操作ボタン１２０２のほか、受
話口１２０４、送話口１２０６とともに、上述した液晶パネル１００を備えるものである
。なお、電気光学装置１０のうち、液晶パネル１００以外の構成要素については電話器に
内蔵されるので、外観としては現れない。  
【００４６】
なお、電気光学装置１０が適用される電子機器としては、図１６に示される携帯電話の
他にも、デジタルスチルカメラや、ノートパソコン、液晶テレビ、ビューファインダ型（
またはモニタ直視型）のビデオレコーダ、カーナビゲーション装置、ページャ、電子手帳
、電卓、ワードプロセッサ、ワークステーション、テレビ電話、ＰＯＳ端末、タッチパネ
ルを備えた機器等などが挙げられる。そして、これらの各種電子機器の表示装置として、
上述した電気光学装置１０が適用可能であることは言うまでもない。
【図面の簡単な説明】
【００４７】
【図１】本発明の第１実施形態に係る電気光学装置の構成を示すブロック図である。
【図２】同電気光学装置における画素の構成を示す等価回路図である。
【図３】同電気光学装置における画素の構成を示す平面図である。
【図４】同電気光学装置における走査信号の電圧波形の関係を示す図である。
【図５】同電気光学装置が適用する走査パターンを示す図である。
【図６】同電気光学装置におけるデータ信号の電圧を決定するための図である。
【図７】同電気光学装置の動作を説明するための図である。
【図８】同電気光学装置の別動作を説明するための図である。
【図９】同電気光学装置が適用可能な走査パターンの一例を示す図である。
【図１０】同電気光学装置におけるデータ信号の電圧を決定するための図である。
【図１１】同電気光学装置の別動作を説明するための図である。
【図１２】本発明の第２実施形態に係る電気光学装置の構成を示すブロック図である。
【図１３】同電気光学装置における画素の構成を示す簡易平面図である。
【図１４】同電気光学装置における画素の構成を示す図である。
【図１５】同電気光学装置の動作を説明するための図である。
【図１６】実施形態に係る電気光学装置を用いた携帯電話の構成を示す図である。
【符号の説明】
【００４８】
１００…液晶パネル、１１６…画素、１１８…画素容量、２１２…データ線、２２０…
ＴＦＤ、２３４、２３６…画素電極、２５０…データ線駆動回路、３１２…走査線、３５
０…走査線駆動回路、４００…制御回路、１２００…携帯電話
【図１】
2006184380.tif 000003
【図２】
2006184380.tif 000004
【図３】
2006184380.tif 000005
【図４】
2006184380.tif 000006
【図５】
2006184380.tif 000007
【図６】
2006184380.tif 000008
【図７】
2006184380.tif 000009
【図８】
2006184380.tif 000010
【図９】
2006184380.tif 000011
【図１０】
2006184380.tif 000012
【図１１】
2006184380.tif 000013
【図１２】
2006184380.tif 000014
【図１３】
2006184380.tif 000015
【図１４】
2006184380.tif 000016
【図１５】
2006184380.tif 000017
【図１６】
2006184380.tif 000018